(57)【要約】【課題】ソーシャルネットワークサービス上で新たに人間関係が構築されるのを促進する。【解決手段】第１のユーザの専用画面から所望の第２のユーザを指定すると、第１のユーザと第２のユーザとの間で共通して所属しているコミュニティの一覧６０を含む紹介画面が第１のユーザの端末１１に提供される。第１のユーザは、自己の紹介画面にアクセスしてきた未だ友達関係の構築されていない見知らぬ第２のユーザと共通する話題や関心事を、コミュニティの一覧６０により知ることができる。【選択図】  図６
2007328723.tif 000002
【特許請求の範囲】
【請求項１】
各端末のユーザに対し、ネットワークを介してソーシャルネットワークサービスを提供するソーシャルネットワークサービスシステムにおける情報提供装置であって、
各端末のユーザのプロフィールその他のユーザの情報を登録するユーザ情報記憶部と、
前記ユーザ情報記憶部に登録されたユーザの所属コミュニティの情報を登録する所属コミュニティ情報記憶部と、
前記ユーザ情報記憶部に登録されたユーザの内、特定の端末から予め指定された第１のユーザと前記特定の端末から任意に指定された前記第１のユーザ以外の第２のユーザとの間で共通する所属コミュニティである共通コミュニティの情報を、前記所属コミュニティ情報記憶部から抽出する共通コミュニティ抽出部と、
前記特定の端末に対し、前記第２のユーザの情報とともに、前記共通コミュニティ抽出部の抽出した共通コミュニティの情報を提供する情報提供部と、
を備える情報提供装置。
【請求項２】
各端末のユーザに対し、ネットワークを介してソーシャルネットワークサービスを提供するソーシャルネットワークサービスシステムにおける情報提供装置であって、
各端末のユーザのプロフィールその他のユーザの情報を登録するユーザ情報記憶部と、
前記ユーザ情報記憶部に登録されたユーザの所属コミュニティの情報を登録する所属コミュニティ情報記憶部と、
前記ユーザ情報記憶部に登録されたユーザの内、特定の端末から予め指定された特定のユーザと前記特定のユーザ以外の不特定のユーザの各々との間で共通する所属コミュニティである共通コミュニティの情報を、前記不特定のユーザごとに前記所属コミュニティ情報記憶部から抽出する抽出部と、
前記抽出部の抽出した前記不特定のユーザごとの共通コミュニティの総数を集計する集計部と、
前記集計部が集計した前記不特定のユーザごとの共通コミュニティの総数に応じた順番に従って前記不特定のユーザの情報を一覧化し、一覧化された前記不特定のユーザの情報を前記特定の端末に提供する情報提供部と、
を備える情報提供装置。
【請求項３】
各端末のユーザに対し、ネットワークを介してソーシャルネットワークサービスを提供するソーシャルネットワークサービスシステムにおける情報提供方法であって、
各端末のユーザのプロフィールその他のユーザの情報を登録するステップと、
登録されたユーザの所属コミュニティの情報を登録するステップと、
登録されたユーザの内、特定の端末から予め指定された第１のユーザと前記特定の端末から任意に指定された前記第１のユーザ以外の第２のユーザとの間で共通する所属コミュニティである共通コミュニティの情報を抽出するステップと、
前記特定の端末に対し、前記第２のユーザの情報とともに、抽出した共通コミュニティの情報を提供するステップと、
を含む情報提供方法。
【請求項４】
各端末のユーザに対し、ネットワークを介してソーシャルネットワークサービスを提供するソーシャルネットワークサービスシステムにおける情報提供方法であって、
各端末のユーザのプロフィールその他のユーザの情報を登録するステップと、
前記ユーザ情報記憶部に登録されたユーザの所属コミュニティの情報を登録するステップと、
登録されたユーザの内、特定の端末から予め指定された特定のユーザと前記特定のユーザ以外の不特定のユーザの各々との間で共通する所属コミュニティである共通コミュニティの情報を、前記不特定のユーザごとに抽出するステップと、
抽出した前記不特定のユーザごとの共通コミュニティの総数を集計するステップと、
集計された前記不特定のユーザごとの共通コミュニティの総数に応じた順番に従って前記不特定のユーザの情報を一覧化し、一覧化された前記不特定のユーザの情報を前記特定の端末に提供するステップと、
を含む情報提供方法。
【発明の詳細な説明】
【技術分野】
【０００１】
本発明はソーシャルネットワークサービスにおいてユーザに関する情報を提供する技術に関する。
【背景技術】
【０００２】
近年、ソーシャルネットワークサービス（ＳＮＳ）と呼ばれるサービスが普及している。ＳＮＳとは、参加者が互いに友人を紹介しあって、新たな友人関係を広げることを目的に開設されたＷｅｂサイトである。ＳＮＳには同じ関心や興味を持つユーザが集まるコミュニティというグループを形成し、コミュニティのＷｅｂサイトでは、コミュニティのメンバーが互いに共通の話題について情報交換し情報共有する。
【０００３】
特許文献１および２はかかる技術の一例である。特許文献１によると、ユーザはグループをあるアクティビティから別のアクティビティに移行できる。特許文献２によると、入力されたユーザ名を含む公開データを検索してヒット件数を取得し、ヒット件数が既定値を超えるか否かを判定し、既定値を超えると判断されたユーザ名間に人間関係データを設定することで、人間関係を把握する。
【特許文献１】特開２００４−１６４５９９号公報
【特許文献２】特開２００４−３４８１７９号公報
【発明の開示】
【発明が解決しようとする課題】
【０００４】
特許文献１および２の技術は、いずれも既存の人間関係をネットワーク上で展開してコミュニケーションの価値を高めようとするに過ぎず、新しい人間関係を生み出すための機能としては不十分である。
【０００５】
本発明はこのような問題点に鑑みてなされたもので、人間関係が未だ構築されていないようなユーザ間であっても、ソーシャルネットワークサービス上で新たに人間関係が構築されるのを促進することを目的とする。
【課題を解決するための手段】
【０００６】
本発明に係る情報提供装置は、各端末のユーザに対し、ネットワークを介してソーシャルネットワークサービスを提供するソーシャルネットワークサービスシステムにおける情報提供装置であって、各端末のユーザのプロフィールその他のユーザの情報を登録するユーザ情報記憶部と、ユーザ情報記憶部に登録されたユーザの所属コミュニティの情報を登録する所属コミュニティ情報記憶部と、ユーザ情報記憶部に登録されたユーザの内、特定の端末から予め指定された第１のユーザと特定の端末から任意に指定された第１のユーザ以外の第２のユーザとの間で共通する所属コミュニティである共通コミュニティの情報を、所属コミュニティ情報記憶部から抽出する共通コミュニティ抽出部と、特定の端末に対し、第２のユーザの情報とともに、共通コミュニティ抽出部の抽出した共通コミュニティの情報を提供する情報提供部と、を備える。
【０００７】
この発明によると、ソーシャルネットワークサービスに登録されたある特定の第１のユーザが、第２のユーザを任意に指定すれば、第２のユーザのプロフィールその他の情報とともに、第１のユーザと第２のユーザとの間で共通する所属コミュニティの情報が、第１のユーザの端末に提供される。
【０００８】
第１のユーザは、第２のユーザのプロフィールなどと一緒に、自分と共通する所属コミュニティの情報を参照することができるから、未だ人間関係の構築されていない見知らぬ第２のユーザと自分に共通する関心事や興味を知ることができる。第１のユーザが、第２のユーザのプロフィールなどとあわせて共通コミュニティを参照し、第２のユーザに少しでも興味や関心を持てば、ソーシャルネットワークサービスにおけるユーザ間の新たな人間関係構築のきっかけとなる。
【０００９】
本発明に係る情報提供装置は、各端末のユーザに対し、ネットワークを介してソーシャルネットワークサービスを提供するソーシャルネットワークサービスシステムにおける情報提供装置であって、各端末のユーザのプロフィールその他のユーザの情報を登録するユーザ情報記憶部と、ユーザ情報記憶部に登録されたユーザの所属コミュニティの情報を登録する所属コミュニティ情報記憶部と、ユーザ情報記憶部に登録されたユーザの内、特定の端末から予め指定された特定のユーザと特定のユーザ以外の不特定のユーザの各々との間で共通する所属コミュニティである共通コミュニティの情報を、不特定のユーザごとに所属コミュニティ情報記憶部から抽出する抽出部と、抽出部の抽出した不特定のユーザごとの共通コミュニティの総数を集計する集計部と、集計部が集計した不特定のユーザごとの共通コミュニティの総数に応じた順番に従って不特定のユーザの情報を一覧化し、一覧化された不特定のユーザの情報を特定の端末に提供する情報提供部と、を備える。
【００１０】
この発明によると、ソーシャルネットワークサービスに登録されたある特定のユーザと不特定のユーザとの間で共通する所属コミュニティの総数に従った順番（好ましくは多い順）で第２のユーザのプロフィールその他の情報が一覧化され、一覧化された不特定のユーザの情報が特定のユーザの端末に提供される。
【００１１】
特定のユーザは、不特定のユーザと自分との間で共通する所属コミュニティの数が多い順から、プロフィールなどを参照できるから、未だ人間関係の構築されていない見知らぬ不特定のユーザのうち、自分と共通する関心事や興味を多く持っているユーザから優先して参照できる。特定のユーザが、一覧化された不特定のユーザの中から興味や関心を持ったユーザを１人でも発見できれば、ソーシャルネットワークサービスにおけるユーザ間での新たな人間関係構築のきっかけとなる。
【００１２】
本発明に係る情報提供方法は、各端末のユーザに対し、ネットワークを介してソーシャルネットワークサービスを提供するソーシャルネットワークサービスシステムにおける情報提供方法であって、各端末のユーザのプロフィールその他のユーザの情報を登録するステップと、登録されたユーザの所属コミュニティの情報を登録するステップと、登録されたユーザの内、特定の端末から予め指定された第１のユーザと特定の端末から任意に指定された第１のユーザ以外の第２のユーザとの間で共通する所属コミュニティである共通コミュニティの情報を抽出するステップと、特定の端末に対し、第２のユーザの情報とともに、抽出した共通コミュニティの情報を提供するステップと、を含む。
【００１３】
本発明に係る情報提供方法は、各端末のユーザに対し、ネットワークを介してソーシャルネットワークサービスを提供するソーシャルネットワークサービスシステムにおける情報提供方法であって、各端末のユーザのプロフィールその他のユーザの情報を登録するステップと、ユーザ情報記憶部に登録されたユーザの所属コミュニティの情報を登録するステップと、登録されたユーザの内、特定の端末から予め指定された特定のユーザと特定のユーザ以外の不特定のユーザの各々との間で共通する所属コミュニティである共通コミュニティの情報を、不特定のユーザごとに抽出するステップと、抽出した不特定のユーザごとの共通コミュニティの総数を集計するステップと、集計された不特定のユーザごとの共通コミュニティの総数に応じた順番に従って不特定のユーザの情報を一覧化し、一覧化された不特定のユーザの情報を特定の端末に提供するステップと、を含む。
【発明の効果】
【００１４】
この発明によると、ソーシャルネットワークサービスに登録されたある特定の第１のユーザが、第２のユーザを任意に指定すれば、第２のユーザのプロフィールその他の情報とともに、第１のユーザと第２のユーザとの間で共通する所属コミュニティの情報が、第１のユーザの端末に提供される。
【００１５】
第１のユーザは、第２のユーザのプロフィールなどと一緒に、自分と共通する所属コミュニティの情報を参照することができるから、未だ人間関係の構築されていない見知らぬ第２のユーザと自分に共通する関心事や興味を知ることができる。第１のユーザが、第２のユーザのプロフィールなどとあわせて共通コミュニティを参照し、第２のユーザに少しでも興味や関心を持てば、ソーシャルネットワークサービスにおけるユーザ間の新たな人間関係構築のきっかけとなる。
【００１６】
また、この発明によると、ソーシャルネットワークサービスに登録されたある特定のユーザと不特定のユーザとの間で共通する所属コミュニティの総数に従った順番（好ましくは多い順）で第２のユーザのプロフィールその他の情報が一覧化され、一覧化された不特定のユーザの情報が特定のユーザの端末に提供される。
【００１７】
特定のユーザは、不特定のユーザと自分との間で共通する所属コミュニティの数が多い順から、プロフィールなどを参照できるから、未だ人間関係の構築されていない見知らぬ不特定のユーザのうち、自分と共通する関心事や興味を多く持っているユーザから優先して参照できる。特定のユーザが、一覧化された不特定のユーザの中から興味や関心を持ったユーザを１人でも発見できれば、ソーシャルネットワークサービスにおけるユーザ間での新たな人間関係構築のきっかけとなる。
【発明を実施するための最良の形態】
【００１８】
＜第１実施形態＞
図１は本発明の好ましい実施形態に係るソーシャルネットワークサービス（ＳＮＳ）システムの概略構成を示す図である。このシステムでは、パソコン、携帯電話、ＰＤＡなどで構成された複数の端末１１同士が、インターネットなどのネットワーク５を経由してサーバ３０にアクセスすると、サーバ３０の仲介によって相互に情報を交換できる。
【００１９】
サーバ３０は、記憶部２０、Ｗｅｂサーバ３１、ユーザ関係処理部３４、ユーザ登録部３５、共通コミュニティ検索部３６、通信部３７等を備えている。
【００２０】
記憶部２０は、ユーザデータ記憶部２１、所属コミュニティ記憶部２２、ユーザ関係記憶部２３、Ｗｅｂデータ記憶部２５、履歴記憶部２７を備え、大容量記憶媒体で構成される。
【００２１】
図２に示すように、ユーザデータ記憶部２１は、端末１１のユーザの識別情報であるユーザＩＤ、ユーザ名、プロフィールその他のユーザに関する情報（ユーザ情報）を記憶している。ユーザデータ記憶部２１にユーザ情報が登録されたユーザ（登録者）の間だけで、サーバ３０の仲介による情報交換が可能となる。
【００２２】
ユーザ登録部３５は、ある登録者の端末１１から、新規の登録者になることを求めている相手方（登録希望者）を紹介する旨の通知を受けると、これに応じて、登録を承諾する旨の通知を登録希望者の端末１１に電子メール等で送信する。なお、登録希望者の電子メールアドレスは、予め登録希望者から紹介を依頼する特定の登録者（紹介者）に教えておき、これを紹介者の端末１１からユーザ登録部３５に通知する。
【００２３】
登録希望者の端末１１が、ユーザ登録部３５からの電子メールを受信すると、これに指定された登録方法に従って、登録希望者のユーザ情報をユーザ登録部３５に送信する。ユーザ登録部３５は、登録希望者のユーザ情報を受信すると、これをユーザデータ記憶部２１に登録する。この時点で登録希望者は登録者となる。以下、登録者を単にユーザで表す。
【００２４】
なお、ＳＮＳシステムの開設時には、登録者自体が存在しないから、ある程度登録者を確保するために、登録希望者がユーザ登録部３５からの事前の承諾通知なく自由にユーザ情報を登録できるようにしてもよい。
【００２５】
図３に例示するように、ユーザ関係記憶部２３は、特定のユーザに対して友達関係を有する他のユーザのユーザＩＤを記憶する。ここでは、ユーザＩＤが「００１」のユーザに対するユーザ関係記憶部２３が、友達のユーザＩＤ「００２」、「００３」、「００４」を記憶する。
【００２６】
例えば、ある第２のユーザと友達関係になることを、別のある第１のユーザが希望しているとする。ユーザ関係処理部３４は、Ｗｅｂサーバ３１の提供する第２のユーザのプロフィールなどを表示したページを第１のユーザの端末１１に提供する。このページには友達関係を承諾するボタンが設けられており、第１のユーザの端末１１からこのボタンを押下することで、第１のユーザから第２のユーザあてへの友達関係の申し込みをした旨の通知を電子メールなどで行う。
【００２７】
第２のユーザがその通知に規定された方法によって第１のユーザとの友人関係を承諾すると、ユーザ関係処理部３４は、第１のユーザのユーザ関係記憶部２３に第２のユーザのユーザ情報を登録するとともに、第２のユーザのユーザ関係記憶部２３に第１のユーザのユーザ情報を登録する。こうすることで、第１のユーザと第２のユーザとの友達関係がデータで規定される。
【００２８】
なお、登録希望者のユーザ関係記憶部２３には紹介者のユーザ情報を登録し、紹介者のユーザ関係記憶部２３には登録希望者のユーザ情報を登録してもよい。
【００２９】
図４は所属コミュニティ記憶部２２に記憶される情報を例示する。所属コミュニティ記憶部２２は、各ユーザの所属するコミュニティ（特定の関心事や興味についてのユーザ間コミュニケーションを目的としたネットワーク上の仮想空間のこと）を特定する情報（所属コミュニティ情報）を記憶する。
【００３０】
図４で規定される情報によると、ユーザＩＤ「００１」のユーザは、「Ａ会社の人」、「美味いもの食べたい」、「引越し準備中」および「空を見る人」の４つのコミュニティに所属する。ユーザＩＤ「００２」のユーザは、「Ａ会社の人」、「独身貴族」および「美味いもの食べたい」の３つのコミュニティに所属する。ユーザＩＤ「００３」のユーザは、「Ａ会社の人」、「世田谷区に住んでます」、「薬学部出身」および「高額所得者の会」の４つのコミュニティに所属する。各ユーザは所属コミュニティ記憶部２２の情報を任意に更新することで自分の好きなコミュニティに所属することができる。
【００３１】
Ｗｅｂサーバ３１は、Ｗｅｂデータ記憶部２５に記憶されたデータから、端末１１の要求内容に応じたＷｅｂページデータを取得し、端末１１に送る。
【００３２】
図５はＷｅｂサーバ３１がある特定のユーザ（特定の端末１１から送信されたユーザＩＤ、パスワードその他の認証情報でＷｅｂサーバ３１が認証したユーザ）の端末１１ごとに提供するＷｅｂページである専用画面の表示例である。この画面では、特定のユーザ自身のプロフィールの確認や変更を開始するトリガ４１、そのユーザと友人関係を有するユーザである友人の一覧４２、そのユーザ自身の所属するコミュニティの一覧４３が表示される。
【００３３】
専用画面のトリガ４１がクリックされると、ある特定のユーザのプロフィールなどのユーザ情報がユーザデータ記憶部２１から読み出され、この情報が含まれたＷｅｂページがＷｅｂサーバ３１からその特定のユーザの端末１１に送信される。
【００３４】
友人の一覧４２は、すでに特定のユーザのユーザ関係記憶部２３に記憶された他のユーザのユーザ情報（友人のユーザ名、友人の画像、友人の所属コミュニティの総数など）を含む。
【００３５】
所属するコミュニティの一覧４３は、特定のユーザ専用の所属コミュニティ記憶部２２で規定された特定ユーザの所属するコミュニティに関する情報（例えばコミュニティの名称、コミュニティの所属ユーザ数など）を含む。
【００３６】
アクセス履歴４４は、特定のユーザの紹介画面（後述する図６を参照）にアクセスしてきた他のユーザを特定する情報（履歴情報）を含む。履歴情報はユーザごとに区別された履歴記憶部２７に記憶されており、アクセスがある度にユーザ関係処理部３４によって更新される。履歴記憶部２７の履歴情報は、特定ユーザの紹介画面のほか、特定ユーザの開設した日記やコミュニティにアクセスしてきたユーザを特定する情報であってもよい。
【００３７】
ある特定のユーザ（第１のユーザとする）の専用画面において、アクセス履歴４４の中から任意のユーザを指定すると、指定されたユーザ（第２のユーザとする）のプロフィールその他のユーザ情報を記述したＷｅｂページ（紹介画面）がＷｅｂサーバ３１から第１のユーザの端末１１に送信される。
【００３８】
図６は紹介画面の表示例である。紹介画面には、アクセス履歴４４から任意に指定された第２のユーザのプロフィール（名前、住所、年齢、誕生日、血液型、出身地、趣味、職業、自己紹介文その他の情報）を含むユーザ情報が表示されている。また、紹介画面には、第２のユーザの友人関係や所属コミュニティも表示される。
【００３９】
さらに、紹介画面には、第１のユーザの所属コミュニティおよび第２のユーザの所属するコミュニティのうち共通するもの（共通コミュニティ）６０が表示される。ここでは共通コミュニティとして、「コミュニティＢ」および「コミュニティＤ」が表示されている。
【００４０】
図７は第１のユーザと第２のユーザに共通するコミュニティを概念的に示す。ここでは一例として、第１のユーザが「コミュニティＡ」、「コミュニティＢ」、「コミュニティＤ」の３つのコミュニティに所属していること、第２のユーザが「コミュニティＢ」、「コミュニティＣ」、「コミュニティＤ」、「コミュニティＥ」の４つのコミュニティに所属していることが、所属コミュニティ記憶部２２に記憶されているとする。
【００４１】
共通コミュニティ検索部３６は、所属コミュニティ記憶部２２を参照し、ある第１のユーザと第２のユーザとの間で共通するコミュニティ（ここでは「コミュニティＢ」および「コミュニティＤ」）を検索する。
【００４２】
図８はサーバ３０による共通コミュニティ検索処理の流れを示す。
【００４３】
Ｓ１では、共通コミュニティ検索部３６は、第１のユーザの指定を、端末１１から受け付ける。
【００４４】
Ｓ２では、共通コミュニティ検索部３６は、第１のユーザの所属コミュニティを、所属コミュニティ記憶部２２から読み出す。
【００４５】
Ｓ３では、共通コミュニティ検索部３６は、第２のユーザの指定を、端末１１から受け付ける。
【００４６】
Ｓ４では、共通コミュニティ検索部３６は、第２のユーザの所属コミュニティを、所属コミュニティ記憶部２２から読み出す。
【００４７】
Ｓ５では、共通コミュニティ検索部３６は、第１のユーザの所属コミュニティと第２のユーザの所属コミュニティとをマッチングし、一致する所属コミュニティのみを共通コミュニティとして抽出する。
【００４８】
Ｓ６では、共通コミュニティ検索部３６は、共通コミュニティの情報をＷｅｂサーバ３１に出力する。Ｗｅｂサーバ３１は、共通コミュニティの情報を含んだＷｅｂページを、端末１１に送信する。
【００４９】
なお本実施形態では、Ｓ１およびＳ３において、ある特定のユーザの専用画面へのアクセスを認証されたユーザを第１のユーザ、第１のユーザの専用画面のアクセス履歴４４において指定されたユーザを第２のユーザとする。そして、Ｓ６において、共通コミュニティの情報を含んだＷｅｂページを、第１のユーザの端末１１に送信する。
【００５０】
ただし、第１のユーザと第２のユーザは少なくとも異なるユーザであれば何人でもよく、どのようなユーザを第１のユーザや第２のユーザに指定するかは、異なるユーザ間の共通コミュニティの情報の検索にとって本質的な事項ではない。
【００５１】
図６に示すように、第１のユーザの専用画面から所望の第２のユーザを指定すると、第１のユーザと第２のユーザとの間で共通して所属しているコミュニティの一覧６０を含む紹介画面が第１のユーザの端末１１に提供される。第１のユーザは、自己の紹介画面にアクセスしてきた未だ友達関係の構築されていない見知らぬ第２のユーザと共通する話題や関心事を、コミュニティの一覧６０により知ることができる。
【００５２】
共通コミュニティ６０やその他のユーザ情報を見て第１のユーザが第２のユーザを気に入れば、友達関係を希望する通知を送り、第２のユーザが承諾すれば、ユーザ関係処理部３４により、第１の登録者と第２の登録者との友達関係がユーザ関係記憶部２３のデータ上で規定される。
【００５３】
このように、見知らぬユーザについて、自分と共通する所属コミュニティが表示されるから、そのユーザと共通の話題や関心事を一目瞭然で把握でき、ＳＮＳ上での新たな友達関係の構築が促進される。
【００５４】
＜第２実施形態＞
ある特定のユーザが、他の不特定多数のユーザのうち、自分と共通する所属コミュニティの多いユーザを知りたい場合もある。本実施形態では、第１実施形態のＳＮＳシステムを応用し、不特定ユーザからこのようなユーザを探し出す機能を提供する。
【００５５】
例えば、図９に示すように、ある特定の第１のユーザの専用画面に、自分と共通のコミュニティに所属するユーザの検索を指示するボタン８０を設けておく。
【００５６】
図１０はサーバ３０によるコミュニティ共通ユーザ検索処理の流れを示す。この処理はボタン８０の押下により開始する。
【００５７】
Ｓ１１では、共通コミュニティ検索部３６は、ボタン８０が押下されたことに応じ、第１のユーザ以外のユーザである検索対象ユーザの各々を順次第２のユーザに指定し、第１実施形態の共通コミュニティ検索処理と同様、第１のユーザと第２のユーザとの間で共通する所属コミュニティの情報を、順次指定される検索対象ユーザごとに抽出する。
【００５８】
Ｓ１２では、共通コミュニティが少なくとも１つ抽出された検索対象ユーザを集計対象ユーザとし、集計対象ユーザごとの共通コミュニティの総数を集計する。
【００５９】
Ｓ１３では、共通コミュニティ検索部３６は、共通コミュニティの総数の多い集計対象ユーザのユーザ情報から順にＷｅｂサーバ３１に出力する。Ｗｅｂサーバ３１は、共通コミュニティ検索部３６からの出力順にユーザ情報を並べたＷｅｂページである検索結果画面を、第１のユーザの端末１１に送信する。なお、すでに第１のユーザのユーザ関係記憶部２３に記憶されているユーザのユーザ情報は、検索結果画面から除外してもよい。
【００６０】
図１１は検索結果画面の一例を示す。この図に示すように、検索結果画面には、各集計対象ユーザの名前や自己紹介などのプロフィールを含んだユーザ情報８２とともに、集計対象ユーザと第１のユーザとの間で共通する所属コミュニティの総数８１が表示される。ユーザ情報８２は、所属コミュニティの総数８１の多いものから順に配列されて表示されている。第１のユーザは、集計対象の中で気に入ったユーザがいれば、そのユーザを指定して、そのユーザと共通する所属コミュニティの情報を表示してもよい。あるいは、指定したユーザへ友達関係の申し込みを行う画面に移行してもよい。
【００６１】
本実施形態の検索結果画面によると、未だ友達関係の構築されていない不特定ユーザのうち、自分と共通する興味や関心事をどれだけ持っているかが一目瞭然で分かる。しかも、共通コミュニティの多いユーザから優先して閲覧できるから、全く見知らぬ者同士でも、嗜好の共通する相性の良さそうなユーザを効率的に探し出すことができ、ＳＮＳ内での新たな友達関係の構築が促進される。
【図面の簡単な説明】
【００６２】
【図１】ソーシャルネットワークサービス（ＳＮＳ）システムの概略構成図
【図２】ユーザデータ記憶部の情報の概念説明図
【図３】ユーザ関係記憶部の情報の概念説明図
【図４】所属コミュニティ記憶部の情報の概念説明図
【図５】専用画面の表示例を示す図
【図６】紹介画面の表示例を示す図
【図７】第１のユーザと第２のユーザに共通するコミュニティを概念的に示す図
【図８】共通コミュニティ検索処理の流れを示すフローチャート
【図９】自分と共通のコミュニティに所属するユーザの検索を指示するボタンが設けられた専用画面の表示例を示す図
【図１０】コミュニティ共通ユーザ検索処理の流れを示すフローチャート
【図１１】検索結果画面の一例を示す図
【符号の説明】
【００６３】
１１：端末、２１：ユーザデータ記憶部、２２：所属コミュニティ記憶部、２３：ユーザ関係記憶部、３０：サーバ、３４：ユーザ関係処理部、３６：共通コミュニティ検索部
【図１】
2007328723.tif 000003
【図２】
2007328723.tif 000004
【図３】
2007328723.tif 000005
【図４】
2007328723.tif 000006
【図５】
2007328723.tif 000007
【図６】
2007328723.tif 000008
【図７】
2007328723.tif 000009
【図８】
2007328723.tif 000010
【図９】
2007328723.tif 000011
【図１０】
2007328723.tif 000012
【図１１】
2007328723.tif 000013